(57)【特許請求の範囲】
【請求項１】
光ディスクが載置されるターンテーブルと前記光ディスクの半径方向に移動可能に支持された光ピックアップとを少なくとも備えたディスク駆動部と、このディスク駆動部を収納する枠体とを有し、前記ディスク駆動部が前記光ディスクの排出又は収納に伴って前記光ディスクに対し接離する方向へ移動する光ディスク装置であり、
前記ディスク駆動部が前記光ディスクから離間する位置に待機している場合には前記光ピックアップの移動をこの光ピックアップが前記光ディスクの半径方向の最内周位置に位置する状態で規制し、前記ディスク駆動部が前記光ディスクに接近する位置へ移動すると規制が解除される突出部からなる規制部を前記枠体の底面に設けたことを特徴とする光ディスク装置。
【請求項２】
光ディスクが載置されるターンテーブルと前記光ディスクの半径方向に移動可能に支持された光ピックアップとを少なくとも備えたディスク駆動部と、このディスク駆動部を収納する枠体とを有し、前記ディスク駆動部が、前記ターンテーブルに前記光ディスクが載置された後に前記光ディスクが駆動される駆動位置と、この駆動位置から前記ターンテーブルが前記光ディスクから離れて待機する待機位置のいずれかの状態になるように択一的に配置される光ディスク装置であり、
前記ディスク駆動部が前記待機位置にあるときに、前記光ピックアップの移動をこの光ピックアップが前記光ディスクの半径方向の最内周位置に位置する状態で規制する突出部からなる規制部を前記枠体の底面に設けたことを特徴とする光ディスク装置。
【請求項３】
前記光ピックアップに規制片を設け、該規制片が前記規制部に係止されることを特徴とする請求項１又は請求項２に記載の光ディスク装置。
【発明の詳細な説明】
【０００１】
【発明の属する技術分野】
本発明は、光ディスクを装填して記録又は再生を行う光ディスク装置に関する。
【０００２】
【従来の技術】
光ディスク装置は、光ディスクが装填され、レーザ光を光ディスクの情報記録面に入射させて、この情報記録面に情報を記録したり、記録された情報を再生したりするものである。
【０００３】
図９Ａ、Ｂは、特開平６−３４２５６９に記載された従来の光ディスク装置の例であり、主として、メインシャーシ３０と、スピンドルモータ３１と、コイルボビン３３Ａとベアリング３４Ａを両端部に有する可動ピックアップ部３４と、ボイスコイルモータ３３と、ロックアーム１２と、から構成されている。
【０００４】
メインシャーシ３０には、ターンテーブル（図示せず）が同軸に回転自由に固定されたスピンドルモータ３１が取り付けられている。また、可動ピックアップ部３４は、メインシャーシ３０に取り付け固定された２本のシャフト２Ｃ上に、可動ピックアップ部３４に設けた複数のベアリング３４Ａが回転移動することによって、図中矢印ｂ、ｂ´方向（長手方向）に移動自由になっている。
【０００５】
さらに、メインシャーシ３０に取り付け固定されたヨーク２ａと、ヨーク２ｂと、ヨーク２ａに固定された永久磁石２ｃとからなる磁気回路と、可動ピックアップ部３４に設けたコイルボビン３３Ａとにより構成されるボイスコイルモータ３３が可動ピックアップ部３４の短手方向の両端部に配置してある。一方、１つのヨーク２ａ（図中上側）の可動ピックアップ部３４とは反対側には、回動軸１４を中心として回動するロックアーム１２が捻りコイルバネ（図示せず）によって図中Ｆ方向に弾性的に付勢されて設けられている。ロックアーム１２の中心軸１４とは反対側の略端部にはアーム爪１２Ａと、孔１２ｄが形成されている。
【０００６】
アーム爪１２Ａは、ヨーク２ａに形成した切欠部２Ａに挿通可能に配置されており、また、前記孔１２ｄには、ローディングスライド（図示せず）に立設したローディングピン５２Ａが挿通されている。ローディングピン５２Ａは、前記ローディングスライドがローディングモータ３６によって駆動されることにより図９ＡとＢにそれぞれ示す位置に移動可能になっている。
【０００７】
次に、上記の光ディスク装置において、光ディスクが光ディスク装置内に装填すなわちローディングされたときと、排出すなわちアンローディングされたときの、上記ロックアーム１２の動作について説明する。
【０００８】
図９Ａは、図示しない光ディスクがローディングモータ３６により駆動される駆動部により光ディスク装置内にローディングされた状態を示す。光ディスクがローディングされたときには、ロックアーム１２に設けた孔１２ｄに挿通したローディングピン５２Ａは図９Ｂのアンローディング位置から図９Ａのローディング位置に図中矢印ｂ´方向へ移動し、ロックアーム１２は、図中矢印Ｅに回動してアーム爪１２Ａがヨーク２ａの切欠部２Ａ内に保持された状態になる。
【０００９】
そして、光ディスクはターンテーブルに載置され、スピンドルモータ３１によって駆動される。そして、可動ピックアップ部３４の図示しない対物レンズから出射される集光ビームを前記光ディスクの情報記録面に入射させて記録又は再生が行われる。また、前記情報記録面に集光ビームが追従するように可動ピックアップ部３４はボイスコイルモータ３３により、光ディスクの半径方向に制御駆動される。このとき、可動ピックアップ部３４はアーム爪１２と干渉することはない。
【００１０】
一方、図９Ｂに示すアンローディング時には、光ディスクはローディングモータ３６により駆動される駆動部により光ディスク装置外にアンローディングされ、ローディングピン５２Ａはロックアーム１２の孔１２ｄの外側面１２ｅと当接し、この外側面１２ｅに沿ってローディング位置（図９Ａ）からアンローディング位置に図中矢印ｂ方向へ移動することによって、ロックアーム１２は、捻りコイルバネにより図中矢印Ｆに回動する。ここで、可動ピックアップ部３４は電源が遮断される前に予め光ディスクの最外周位置に移動させてあり、アーム爪１２Ａの係止面１２Ｂとコイルボビン３３Ａ先端の凸形状の係合部３３Ｂとが係合することにより、可動ピックアップ部３４の矢印ｂ´方向の移動を防止し、また、矢印ｂ方向へは、ストッパゴム４によって防止して可動ピックアップ部３４をロックしている。
【００１１】
このように、従来の光ディスク装置では、可動ピックアップ部３４は電源が遮断された後には前記コイルボビン３３Ａに巻回されたコイルに電流が流れなくなり移動自由の状態にあるので、上記ロック機構は、可動ピックアップ部３４の輸送時の衝撃等による移動とそれに伴うシャフト２Ｃの長さ方向の両端部におけるメインシャーシ３０との激突等を防止し、可動ピックアップ部３４の性能が劣化しないように保護していた。
【００１２】
【発明が解決しようとする課題】
しかしながら、このような構成の従来の光ピックアップ装置においては、可動ピックアップ部３４の移動を規制するために、光ディスクのローディング又はアンローディングに連動して駆動されるローディングピン５２Ａが立設されたローディングスライド（図示せず）、ロックアーム１２、捻りコイルバネなどの追加部品が必要となり、コストが増大するという課題があった。
【００１３】
また、光ディスクのローディング又はアンローディング機構以外に、上記した可動ピックアップ部３４の移動を規制するための複数の追加部品からなる別機構を設けなければならないため、機構も複雑化するという課題があった。
【００１４】
さらに、アンローディング時に可動ピックアップ部３４を光ディスクの最外周位置において移動を規制していたため、例えば、ＣＤ（コンパクト  ディスク）やＤＶＤ（デジタル  ビデオ  ディスク又はデジタル  バーサタイル  ディスク）の再生等を行うときには、光ディスクの略最内周位置にあるＴＯＣ（Ｔａｂｌｅ  Ｏｆ  Ｃｏｎｔｅｎｔｓ）と呼ばれる情報を最初に読みに行くのであるが、この位置に可動ピックアップ部３４を最外周位置から移動させなければならないため、アクセススピードが遅くなるということについても考慮されていなかった。
【００１５】
上記従来例は、可動ピックアップ部３４をボイスコイルモータ３３によって、移動させる場合であるが、複数の平歯車で構成した、あるいは、リードスクリューとナットで構成した光ピックアップの送り機構等の場合であっても、それらの減速比が比較的小さい時には、衝撃が加わった場合に光ピックアップが移動してしまい、上述した課題が発生することになる。
【００１６】
また、上記平歯車やリードスクリュー等を用いる場合では、減速比を十分大きくすることにより、光ピックアップの移動を抑制することができるが、光ピックアップの送りスピードを極端に低下させることになりアクセススピードを犠牲にしなければならず実用的ではない。
【００１７】
本発明は、光ディスク装置の輸送時等において衝撃が加わった場合に、光ピックアップの移動の規制を、コストを増大させることなく、機構も簡単に実現でき、また、アクセススピードも犠牲にすることがない光ディスク装置を提供することにある。
【００１８】
【課題を解決するための手段】
上記課題を解決するための第１の解決手段として、光ディスクが載置されるターンテーブルと前記光ディスクの半径方向に移動可能に支持された光ピックアップとを少なくとも備えたディスク駆動部と、このディスク駆動部を収納する枠体とを有し、前記ディスク駆動部が前記光ディスクの排出又は収納に伴って前記光ディスクに対し接離する方向へ移動する光ディスク装置であり、
前記ディスク駆動部が前記光ディスクから離間する位置に待機している場合には前記光ピックアップの移動をこの光ピックアップが前記光ディスクの半径方向の最内周位置に位置する状態で規制し、前記ディスク駆動部が前記光ディスクに接近する位置へ移動すると規制が解除される突出部からなる規制部を前記枠体の底面に設けたことを特徴とするものである。
【００１９】
さらに、第２の解決手段として、光ディスクが載置されるターンテーブルと前記光ディスクの半径方向に移動可能に支持された光ピックアップとを少なくとも備えたディスク駆動部と、このディスク駆動部を収納する枠体とを有し、前記ディスク駆動部が、前記ターンテーブルに前記光ディスクが載置された後に前記光ディスクが駆動される駆動位置と、この駆動位置から前記ターンテーブルが前記光ディスクから離れて待機する待機位置のいずれかの状態になるように択一的に配置される光ディスク装置であり、前記ディスク駆動部が前記待機位置にあるときに、前記光ピックアップの移動をこの光ピックアップが前記光ディスクの半径方向の最内周位置に位置する状態で規制する突出部からなる規制部を前記枠体の底面に設けたことを特徴とするものである。
【００２２】
さらに、第３の解決手段として、前記光ピックアップに規制片を設け、該規制片が前記規制部に係止されることを特徴とするものである。
【００２３】
【発明の実施の形態】
本発明の実施の形態である光ディスク装置について、図１乃至図８の図面を用いて以下に説明する。
【００２４】
図１は本発明の第１の実施の形態である光ディスク装置１００の平面図を示す。光ディスク装置１００は、主として、枠体すなわちボトムシャーシ１０１と、ボトムシャーシ１０１に移動可能に支持されるトレイ１０２と、ボトムシャーシ１０１にＬ字状の板バネ１０３を介して支持されるディスク駆動部１０４から構成されている。なお、ボトムシャーシ１０１は本実施の形態では、モールド成形により形成されている。
【００２５】
トレイ１０２には、ディスク載置部１０２ａが設けられており、光ディスクＤが載置される。図１の状態から図中矢印Ａ方向へトレイ１０２が図示しない駆動機構によりボトムシャーシ１０１内へ駆動すなわちローディングされることによって、光ディスクＤがボトムシャーシ１０１内へ収納される。
【００２６】
ローディングが完了した後、トレイ１０２に設けた孔部１０２ｂを通して、光ディスクＤの情報記録面の記録又は再生が行われるようになっている。
一方、光ディスクＤをボトムシャーシ１０１より取り出すときには、トレイ１０２を図中矢印Ａ´方向へ駆動すなわちアンローディングして、図１の状態に戻し、ディスク載置部１０２ａから光ディスクＤを取り出すようにする。
【００２７】
次に、ディスク駆動部１０４は、主に、メインシャーシ１０５と、メインシャーシ１０５に取り付けられターンテーブル１０７が一体的に形成されているスピンドルモータ１０６（図２参照）と、メインシャーシ１０５に互いに平行に取り付けられたシャフト１０８，１０９間に配置された対物レンズ１１０ａを有する光ピックアップ１１０と、図１では図示しないが後述する該光ピックアップ１１０をシャフト１０８，１０９の長さ方向に送るための送り機構と、からなっている。
【００２８】
また、メインシャーシ１０５の一端部１０５ａには、板バネ１０３がネジ１１１，１１１によって取り付けられている。さらに、板バネ１０３の切欠部１０３ａ、１０３ａを介した両端部１０３ｂ、１０３ｂは、ネジ１１２，１１２によってボトムシャーシ１０１へそれぞれ固定してある。
【００２９】
次に、図２を用いて、ディスク駆動部１０４について説明する。
まず、光ピックアップ１１０のシャーシ１１０ｆの一部を折り曲げた折曲片１１０ｇ、１１０ｇにそれぞれ設けた丸孔１１０ｂ、１１０ｂにシャフト１０８が挿通し、丸孔１１０ｂ、１１０ｂとは反対側にあるシャーシ１１０ｆの一部を折り曲げて形成した支持部１１０ｃに設けた切欠溝１１０ｄがシャフト１０９にスライド可能に支持されることによって、光ピックアップ１１０はシャフト１０８、１０９の長さ方向（光ディスクＤの半径方向）に移動自由に支持されている。なお、光ピックアップ１１０の光ディスクＤの内周側すなわちスピンドルモータ１０６側への移動においては、図１に示すシャフト１０８の一端部側でメインシャーシ１０５に設けたストッパ１０５ｂ（図２では省略した）により動きが規制されており、該規制位置が光ピックアップ１１０の最内周位置となっている。また、前記支持部１１０ｃには規制片１１０ｅが一体的にメインシャーシ１０５の裏面側に突出させて形成してある。
【００３０】
また、光ピックアップ１１０のシャーシ１１０ｆにおいて、折曲片１１０ｇ、１１０ｇ側の端部には、ナット部材１１３が取り付けられており、そのナット部１１３ａはシャフト１０８に略平行に配したリードスクリュー１１４のネジの谷に弾性を持って当接している。一方、リードスクリュー１１４の一端部には平歯車１１５が一体的に回転するように固定されており、さらにこの平歯車１１５と噛み合う平歯車１１６が送りモータ１１７の回転軸に固定されている。そして、この送りモータ１１７を駆動することによって、平歯車１１５と平歯車１１６とにより決定される最適なギア比でリードスクリュー１１４が回転し、ナット部材１１３を固定した光ピックアップ１１０が光ディスクＤの半径方向に送られる。
【００３１】
一方、ディスク駆動部１０４の一端部１０５ａは、Ｌ字状の板バネ１０３の切欠部１０３ａ、１０３ａ間で板バネ１０３にネジ止め固定されているので、板バネ１０３のＬ字状の折り曲げ部付近１０３ｃが撓むことによって、ディスク駆動部１０４は図中Ｈ方向に前記板バネ１０３が塑性変形しない範囲で回動可能になっている。
【００３２】
次に、図３、図４を用いて光ディスクＤが載置されたトレイ１０２をローディングしたときの、ディスク駆動部１０４の動作について説明する。
トレイ１０２が図示しない駆動機構によりボトムシャーシ１０１内にローディングされると、ディスク駆動部１０４は図４に示す状態から、矢印Ｃ方向に図示しない駆動機構により板バネ１０３のＬ字状の折り曲げ付近Ｐを略回転中心として回動されて、メインシャーシ１０５の面がトレイ１０２のディスク載置部１０２ａ面と略平行となるように駆動位置に保持される。
【００３３】
この動作中に、ターンテーブル１０７は、トレイ１０２に設けた孔部１０２ｂを突き抜け、トレイ１０２のディスク載置部１０２ａに載置された光ディスクＤをターンテーブル１０７の載置面１０７ａに載置するとともに、光ディスクＤをディスク載置部１０２ａから浮かせて保持する。
【００３４】
また、ターンテーブル１０７の上方からは保持板１１８に保持された永久磁石（図示せず）を内蔵したクランパ１１９が、図中矢印Ｅ方向に移動して、ターンテーブル１０７と磁気的に吸引する力によって光ディスクＤをクランプするようになっている。この後、光ディスクＤはスピンドルモータ１０６によって駆動され、光ピックアップ１１０の対物レンズ１１０ａから出射するレーザ光が光ディスクＤの情報記録面に集光して、さらにこの情報記録面から情報に応じて反射した戻り光を、対物レンズ１１０ａを通って、光ピックアップ１１０内にて受光することによって、光ディスクＤの情報記録面の情報を読み取ったり、情報記録面へ情報を記録したりすることができる。また、光ディスクＤの情報記録面に追従して、光ピックアップ１１０は、送りモータ１１７（図２参照）により、シャフト１０９の長さ方向に沿って制御された動きをする。
【００３５】
次に、図３乃至図５を用いて、光ディスクＤが載置されたトレイ１０２をアンローディングしたときの、ディスク駆動部１０４の動作について説明する。
アンローディング時には、情報記録面の記録又は再生が終了し、スピンドルモータ１０６の駆動が停止した後、図３において、保持板１１８が図中矢印Ｆ方向に移動することによって、クランパ１１９が光ディスクＤ面から離れクランプを解除する。また、光ピックアップ１１０は図３のように最内周位置に移動させておく。そして、ディスク駆動部１０４は図中Ｐを略回転中心として図中矢印Ｂ方向へ回動し、図４に示す待機位置に保持されるようになっている。なお、図４ではディスク駆動部１０４の動作をわかりやすくするためにトレイ１０２は省略してある。
【００３６】
ところで、図４、図５に示すように、ボトムシャーシ１０１の底板部１０１ａにおいて、規制部すなわち突出部１２０を、光ピックアップ１１０に形成した規制片１１０ｅのスピンドルモータ１０６側とは反対側に隣接させて、ディスク駆動部１０４側へ突出するようにボトムシャーシ１０１と一体成形してある。
【００３７】
この後、トレイ１０２はボトムシャーシ１０１外へアンローディングされ、光ディスクＤがディスク載置部１０２ａから取り出される。そして、光ディスクＤが載置されていないトレイ１０２は再びボトムシャーシ１０１内へローディングされて、光ディスク装置１００の電源が切断される。
【００３８】
以上のように電源が切断された光ディスク装置１００に対して、輸送時などに衝撃が加わった場合であっても、光ピックアップ１１０の規制片１１０ｅが、突出部１２０の側壁面１２０ａに当接し、光ピックアップ１１０の外周方向（スピンドルモータ１０６から離れていく方向）への移動を規制し、また、光ピックアップ１１０の内周方向への移動はストッパ１０５ａ（図１参照）によって規制されているので、光ピックアップ１１０がシャフト１０９の長さ方向にわたって加速して移動し、その結果、最内周位置においてストッパ１０５ａと、また、外周位置においてメインシャーシ１０５と衝突することがなくなる。したがって、光ピックアップ１１０を構成している部品の変形や破壊等が起きないので、性能が劣化することがなくなる。
【００３９】
また、光ピックアップ１１０の支持部１１０ｃに設けた規制片１１０ｅと、ボトムシャーシ１０１の底板部１０１ａに設けた突出部１２０のみによって光ピックアップの移動を規制するようにしたため機構が簡素化される。また、規制片１１０ｅと突出部１２０は、それぞれ支持部１１０ｃの加工時に、また、ボトムシャーシ１０１の加工時に同時に加工できるので光ピックアップ１１０やボトムシャーシ１０１の１１０コストが増大することもない。
【００４０】
また、ディスク駆動部１０４が図４に示す待機位置にあるときには、光ピックアップ１１０を略最内周位置でその移動を規制したので、光ディスクＤが載置されたトレイ１０２がローディングされた後、ディスク駆動部１０４が駆動位置に保持されて光ディスクＤの再生又は記録を行う際に、光ディスクＤの略最内周位置にあるＴＯＣ情報を直ちに読み出すことができるので、アクセススピードが早くなるメリットがある。
【００４１】
図６、図７は、それぞれ本発明の第２の実施の形態を示す一部断面図と一部斜視図である。本実施の形態では、図４に示したボトムシャーシ１０１の底板部１０１ａに形成した突出部１２０を、凹部１２１ａを有する突出部１２１に置き換えたものである。前記凹部１２１ａにはシリコンゴムである緩衝材１２２が充填されており、図６に示すようにディスク駆動部１０４が待機位置にあるときには、光ピックアップ１１０の規制片１１０ｅが緩衝材１２２に埋まることによって、光ピックアップ１０１の移動が規制される。本実施の形態では、緩衝材１２２を用いたので、第１の実施の形態に比べて、より光ピックアップ１１０への衝撃を吸収するように規制する効果がある。なお、上記緩衝材１２２の他の材料として、ウレタンゴムや発泡ウレタン等があり、また、これらに限らず同様の効果が得られる材料であればかまわない。
【００４２】
図８は、本発明の第３の実施の形態を示す一部断面図である。本実施の形態では、図４に示した光ピックアップ１１０の規制片１１０ｅをなくして、光ピックアップ１１０を構成するシャーシ１１０ｆの一側面１１０ｈを規制面とし、また、ボトムシャーシ１０１の底板部１０１ａに一体的に形成した突出部１２３を長くし、その側壁面１２３ａが前記規制面１１０ｈの移動を規制するようにしたものである。この場合、第１の実施の形態と同様の効果が得られると共に、規制面１１０ｈをシャーシ１１０ｆの一側面としたことにより、第１の実施の形態のように規制片１１０ｅのみに力が集中することがなくなり、輸送時等の特に大きな衝撃に対して、より光ピックアップ１１０の変形が防止できる効果がある。
【００４３】
また、本実施の形態では、光ピックアップ１１０に規制片１１０ｅを設けなくても良いので、規制片を設けることを考慮していない光ピックアップにも適用できるメリットがある。
【００４４】
上記第１乃至第３の実施の形態では、光ピックアップ１１０の送り機構として、リードスクリュー１１４とナット部材１１３の組み合わせを採用したが、これに限らず、光ピックアップ１１０がボイスコイルモータ（リニアモータ）あるいは複数の平歯車等で搬送される場合であっても本発明が適用できる。
【００４５】
【発明の効果】
以上説明したように、本発明によれば、光ディスクが載置されるターンテーブルと前記光ディスクの半径方向に移動可能に支持された光ピックアップとを少なくとも備えたディスク駆動部と、このディスク駆動部を収納する枠体とを有し、前記ディスク駆動部が前記光ディスクの排出又は収納に伴って前記光ディスクに対し接離する方向へ移動する光ディスク装置であり、前記ディスク駆動部が前記光ディスクから離間する位置に待機している場合には前記光ピックアップの移動をこの光ピックアップが前記光ディスクの半径方向の最内周位置に位置する状態で規制し、前記ディスク駆動部が前記光ディスクに接近する位置へ移動すると規制が解除される突出部からなる規制部を前記枠体の底面に設けたので、光ディスク装置への衝撃に対して、光ピックアップの移動を規制する機構を簡素化できる。また、光ピックアップが半径方向の最内周位置において規制されるので、光ディスクのＴＯＣ情報へのアクセススピードを向上させることができる。さらに、規制部はディスク駆動部を収納する枠体の底面に形成した突出部であるので、前記突出部は前記枠体と一体的に加工でき、コストを増大させることなく、規制部を設けることができる。
【００４６】
また、光ディスクが載置されるターンテーブルと前記光ディスクの半径方向に移動可能に支持された光ピックアップとを少なくとも備えたディスク駆動部と、このディスク駆動部を収納する枠体とを有し、前記ディスク駆動部が、前記ターンテーブルに前記光ディスクが載置された後に前記光ディスクが駆動される駆動位置と、この駆動位置から前記ターンテーブルが前記光ディスクから離れて待機する待機位置のいずれかの状態になるように択一的に配置される光ディスク装置であり、前記ディスク駆動部が前記待機位置にあるときに、前記光ピックアップの移動をこの光ピックアップが前記光ディスクの半径方向の最内周位置に位置する状態で規制する突出部からなる規制部を前記枠体の底面に設けたので、光ディスク装置への衝撃に対して、光ピックアップの移動を規制する機構を簡素化できる。さらに、光ピックアップが半径方向の最内周位置において規制されるので、光ディスクのＴＯＣ情報へのアクセススピードを向上させることができる。また、規制部はディスク駆動部を収納する枠体の底面に形成した突出部であるので、前記突出部は前記枠体と一体的に加工でき、コストを増大させることなく、規制部を設けることができる。
【００４９】
さらに、光ピックアップに規制片を設け、該規制片が規制部に係止されるようにしたので、前記規制片は前記光ピックアップと一体的に加工でき、コストを増大させることなく、規制片を設けることができる。
【図面の簡単な説明】
【図１】本発明の第１の実施の形態の光ディスク装置の平面図である。
【図２】本発明の第１の実施の形態の光ディスク装置のディスク駆動部を説明するための一部斜視図である。
【図３】本発明の第１の実施の形態の光ディスク装置に係り、ディスク駆動部が駆動位置にあるときの動作を説明するための部分断面図である。
【図４】本発明の第１の実施の形態の光ディスク装置に係り、ディスク駆動部が待機位置にあるときの動作を説明するための部分断面図である。
【図５】本発明の第１の実施の形態の光ディスク装置に係り、規制片と突出部からなる規制部の動作を説明するための一部斜視図である。
【図６】本発明の第２の実施の形態の光ディスク装置に係り、規制片と凹部を有する突出部からなる規制部の動作を説明するための一部断面図である。
【図７】本発明の第２の実施の形態の光ディスク装置に係り、規制片と凹部を有する突出部からなる規制部の動作を説明するための一部斜視図である。
【図８】本発明の第３の実施の形態の光ディスク装置に係り、規制面と突出部からなる規制部の動作を説明するための一部断面図である。
【図９】従来の光ディスク装置の平面図である。
【符号の説明】
１００  光ディスク装置
１０１  ボトムシャーシ
１０２  トレイ
１０３  板バネ
１０４  ディスク駆動部
１０５  メインシャーシ
１０６  スピンドルモータ
１０７  ターンテーブル
１１０  光ピックアップ
１１０ｅ  規制片
１１７  送りモータ
１１９  クランパ
１２０、１２１，１２３  突出部
【図１】
0003689261.tif 000002
【図２】
0003689261.tif 000003
【図３】
0003689261.tif 000004
【図４】
0003689261.tif 000005
【図５】
0003689261.tif 000006
【図６】
0003689261.tif 000007
【図７】
0003689261.tif 000008
【図８】
0003689261.tif 000009
【図９】
0003689261.tif 000010